(57)【要約】【課題】  構造、価格、及び使用形態の面で一般に広く普及できる域にあり、且つ実効性のあるゴルフスイング評価装置の提供。【解決手段】  ユーザの身体の一部の軌道、又はユーザが使用するクラブの一部の軌道として許容される前方の限界面ＦＰに沿って複数の前限光線ＦＬを張る前限投光部と、ユーザの身体の一部の軌道、又はユーザが使用するクラブの一部の軌道として許容される後方の限界面ＢＰに沿って複数の後限光線ＢＬを張る後限投光部と、ユーザの手部、及びユーザが使用するクラブに付した反射面３にて反射された光線を検出する受光部を備え、前限光線ＦＬを検出した場合及び後限光線ＢＬを検出した場合にユーザに対する警告を出力する評価手段５を備えるゴルフスイング評価装置。【選択図】      図１
2011103925.tif 000002
【特許請求の範囲】
【請求項１】
ユーザの身体の一部の軌道、又はユーザが使用するクラブの一部の軌道として許容される前方の限界面（ＦＰ）に沿って複数の前限光線（ＦＬ）を張る前限投光部と、
ユーザの身体の一部の軌道、又はユーザが使用するクラブの一部の軌道として許容される後方の限界面（ＢＰ）に沿って複数の後限光線（ＢＬ）を張る後限投光部と、
ユーザの手部、及びユーザが使用するクラブに付した反射面（３）にて反射された光線を検出する受光部を備え、
前限光線（ＦＬ）を検出した場合及び後限光線（ＢＬ）を検出した場合にユーザに対する警告を出力する評価手段（５）を備えるゴルフスイング評価装置。
【請求項２】
前記警告として、前限光線（ＦＬ）を検出した場合と後限光線（ＢＬ）を検出した場合とで異なる警告音を出力する評価手段（５）を備える前記請求項１に記載のゴルフスイング評価装置。
【請求項３】
前記警告として、前限光線（ＦＬ）を検出した場合と後限光線（ＢＬ）を検出した場合各々の検出回数、又は前限光線（ＦＬ）を検出した場合と後限光線（ＢＬ）を検出した場合を総合した検出順の表示を出力する評価手段（５）を備える前記請求項１又は請求項２に記載のゴルフスイング評価装置。
【請求項４】
前記前方の限界面（ＦＰ）は、スイング始動領域及びインパクト領域におけるグリップ軌道の前方の限界面、又はユーザの理想スイングプレーンであり、
前記後方の限界面（ＢＰ）は、ユーザの理想シャフトプレーンである前記請求項１乃至請求項３のいずれかに記載のゴルフスイング評価装置。
【請求項５】
ユーザの手部、及びユーザが使用するクラブの離隔した最低二箇所の部位に反射面（３）を設け、
前記請求項４に記載のゴルフスイング評価装置における前記前方の限界面（ＦＰ）を、スイング始動領域及びインパクト領域におけるグリップ軌道の前方の限界面、又はユーザの理想スイングプレーンに設定する一方、前記後方の限界面（ＢＰ）を、ユーザの理想シャフトプレーンに設定するゴルフスイング評価方法。
【請求項６】
ユーザの頚部及び手部、並びにユーザが使用するクラブの離隔した最低二箇所の部位に反射面（３）を設け、
前記請求項４に記載のゴルフスイング評価装置における前記前方の限界面（ＦＰ）を、ユーザの理想スイングプレーンに設定する一方、前記後方の限界面（ＢＰ）を、ユーザの理想シャフトプレーンに設定するゴルフスイング評価方法。
【発明の詳細な説明】
【技術分野】
【０００１】
本発明は、ゴルフスイングが一定の仮想平面に沿って行なわれるべきとの理論に基づき、ユーザのゴルフスイングを評価する装置に関する。
【背景技術】
【０００２】
下記特許文献１に記載のフォーム矯正支援装置は、ユーザのフォームを単数又は複数方向から撮像し、それから得た像を解析することによって所望の観点からフォーム解析を行なうものである。特許文献２に記載のスイング訓練装置は、望ましいスイング経路との比較を以ってユーザのフォームの評価を行なうものである。特許文献３は、複数の加速度センサが検出する加速度の量及び方向の検出、更には、音響データの検出を以ってユーザのフォームの評価を行なうものである。
【先行技術文献】
【特許文献】
【０００３】
【特許文献１】特開２００２−４５４５５号公報
【特許文献２】特開平５−１５６２６号公報
【特許文献３】特公平５−５５１５６号公報
【発明の概要】
【発明が解決しようとする課題】
【０００４】
上記何れの技術にあっても、構造、価格、及び使用形態の面で、練習の際に容易に持ち運び使用できるものではなく、高価で手軽に入手できるものではない。しかしながら、いかに安価であっても実効性の低い装置では意味が無い。
よって、本発明は、構造、価格、及び使用形態の面で一般に広く普及できる域にあり、且つ実効性のあるゴルフスイング評価装置の提供を目的とする。
【課題を解決するための手段】
【０００５】
上記課題を解決する為になされた本発明によるゴルフスイング評価装置は、ユーザの身体の一部の軌道、又はユーザが使用するクラブの一部の軌道として許容される前方の限界面に沿って複数の前限光線を張る前限投光部と、ユーザの身体の一部の軌道、又はユーザが使用するクラブの一部の軌道として許容される後方の限界面に沿って複数の後限光線を張る後限投光部と、ユーザの手部、及びユーザが使用するクラブに付した反射面にて反射された光線を検出する受光部を備え、前限光線を検出した場合及び後限光線を検出した場合にユーザに対する警告を出力する評価手段を備えることを特徴とする。
【０００６】
前記警告は、音声であってもよいし表示であってもよく、当該警告として、前限光線を検出した場合と後限光線を検出した場合とで異なる警告音を出力する評価手段や、前記警告として、前限光線を検出した場合と後限光線を検出した場合各々の検出回数、又は前限光線を検出した場合と後限光線を検出した場合を総合した検出順の表示を出力する評価手段を備えるゴルフスイング評価装置として構成してもよい。
【０００７】
上記ゴルフスイング評価装置を使用したゴルフスイング評価方法において、前記前方の限界面は、アドレス時からバックスイングの始動過程に至るスイング始動領域、トップ領域、ダウンスイング始動領域、インパクト領域、及びフォロースルー領域等、スイングの要所の一又は複数の領域に設定することができる。
【０００８】
例えば、ユーザの手部、及びユーザが使用するクラブの離隔した最低二箇所の部位に反射面を設け、当該ゴルフスイング評価装置における前記前方の限界面を、スイング始動領域及びインパクト領域におけるグリップ軌道の前方の限界面とすれば、実際のスイングにおいて、その間のグリップの位置が当該前方の限界面から前方へ逸脱しない限り、ユーザのスイング軌道が、当該ユーザ固有の理想スイングプレーンに沿って存在すると大まかに評価できる。
ここで、理想スイングプレーンとは、ユーザが、ターゲットラインに対してスクエアにアドレスし、正しくスウィングした時に、ユーザの頚部とスウィング中のクラブヘッドの中央部（スイートスポット等）を結ぶ線が集まってできる平面とする。
【０００９】
また、ユーザの頚部及び手部、並びにユーザが使用するクラブの離隔した最低二箇所の部位に反射面を設け、前記前方の限界面を、ユーザの理想スイングプレーンそのものに設定することもできる。尚、上記いずれを採る場合にあっても、前記後方の限界面は、当該ユーザ固有の理想シャフトプレーンとする。
ここで、理想シャフトプレーンとは、ユーザが、ターゲットラインに対してスクエアにアドレスし、正しくスウィングした時に、グリップとシャフトの境界部と、ヘッドとシャフトの境界部を結ぶ線が集まってできる平面とする。
【発明の効果】
【００１０】
本発明によるゴルフスイング評価装置によれば、比較的簡素な構成が可能であることから持ち運びや設置が容易であり、且つユーザの身体の一部の軌道、又はユーザが使用するクラブの一部が、前方の限界面に沿って張られた前限光線、又は後方の限界面に沿って張られた後限光線を横切ることによる警告が即時に得られるので、手軽でありながら効果的に自らのスイングの評価を客観的に行うことができる。
【００１１】
ユーザの手部、及びユーザが使用するクラブに付した反射面にて反射された光線を検出する受光部を備える場合において、前記後方の限界面を、当該ユーザ固有の理想シャフトプレーンとし、前記前方の限界面を、スイング始動領域及びインパクト領域におけるグリップ軌道の前方の限界面とすることによって、より簡素な構成とすることができる。
【００１２】
また、前記受光部を、ユーザの頚部及び手部、並びにユーザが使用するクラブの離隔した最低二箇所の部位に付した反射面にて反射された光線を検出する受光部を備える場合において、前記後方の限界面を、当該ユーザ固有の理想シャフトプレーンとし、前記前方の限界面を、ユーザの理想スイングプレーンとすれば、光線を横切る位置やタイミングを加味したより詳細な評価を行うこともできる。
【００１３】
前限光線を検出した場合と後限光線を検出した場合とで異なる警告音を出力する評価手段を備えれば、ゆっくりとしたスイングにおいて、姿勢や目線を変化させることなく自分のスイング軌道の乱れ方を認識することができ、前限光線を検出した場合と後限光線を検出した場合各々の検出回数、又は前限光線を検出した場合と後限光線を検出した場合を総合した検出順の表示を出力する評価手段を備えれば、通常のスイングをした場合であっても、スイング完了後に簡易なわかりやすい表示を以って自分のスイングを復習することができる。
【００１４】
上記の如く、比較的簡素な構造でありながら、極めて実効性の高いスイング評価ができ、構造、価格、及び使用形態（例えば、携帯や設置の便等。）の面で一般に広く使用され得るゴルフスイング評価装置の提供が可能となる。
【図面の簡単な説明】
【００１５】
【図１】本発明によるゴルフスイング評価装置の一例を示す斜視図である。
【図２】本発明によるゴルフスイング評価装置の一例を示す斜視図である。
【図３】本発明によるゴルフスイング評価装置を使用する際の反射面の分布を示す説明図である。
【図４】本発明によるゴルフスイング評価装置におけるフレームと取付状態の一例を示す断面図である。
【図５】本発明によるゴルフスイング評価装置の実施態様例を示す後方から見た説明図である。
【図６】本発明によるゴルフスイング評価装置の実施態様例を示す後方から見た説明図である。
【図７】本発明によるゴルフスイング評価装置の実施態様例を示す側方から見た説明図である。
【図８】本発明によるゴルフスイング評価装置の実施態様例を示す側方から見た説明図である。
【図９】本発明によるゴルフスイング評価装置の実施態様例を示す側方から見た説明図である。
【図１０】本発明によるゴルフスイング評価装置の実施態様例を示す側方から見た説明図である。
【図１１】本発明によるゴルフスイング評価装置の表示部の一例を示す平面図である。
【図１２】本発明によるゴルフスイング評価装置の評価手段の構成を示すブロック図である。
【発明を実施するための形態】
【００１６】
以下、本発明によるゴルフスイング評価装置の実施の形態を図面に基づき詳細に説明する。
図１に示す例は、三脚からなる脚部６を有する支柱７に、三つのガイドフレーム１ａ，１ｂ，２を備える。
【００１７】
各ガイドフレーム１ａ，１ｂ，２は、断面が角張ったＣ字状の金属製又は樹脂製のフレームであり、その側面開口部が、長手方向の全長に亘る係り溝Ｄとなる（図４参照）。当該係り溝ＤにボルトＢの頭部を収めた状態でその先部を係り溝Ｄから突出させ、当該ボルトＢが係り溝Ｄに沿って移動可能な様に支持する。
【００１８】
支柱７は、長尺の細長いボックス状に成形した金属製又は樹脂製のフレームであり、その表裏面の略全長に亘って前記ボルトＢの先部が貫通する長孔Ｔを備える。長孔を貫通したボルトＢの先端にハンドルを設けたナット部材Ｎを螺合することにより、ガイドフレーム１ａ，１ｂ，２と支柱７が連結する。前記ナット部材Ｎは、その螺合に応じてガイドフレーム１ａ，１ｂ，２の裏面を圧する加圧部Ｎｐをハンドルの軸部の先端部に備える。当該加圧部Ｎｐと、ボルトＢの頭部が係ったガイドフレーム１ａ，１ｂ，２の側面とで支柱７を挟むことにより、各ガイドフレーム１ａ，１ｂ，２の支持高、及び支柱７に対するガイドフレームの１ａ，１ｂ，２の傾斜を調整・固定し得ることになる。
【００１９】
支柱７は、脚部６に対して適宜回転自在又は揺動自在に連結し、若しくは脚部６を構成する各脚を伸縮可能とすることによって、支柱７の鉛直方向への起立を担保する。
当該例では、前方の限界面ＦＰに光線ＦＬを張る投光部材を支持するために二つのガイドフレーム（以下、前フレーム１ａ，１ｂと記す。）を備え、後方の限界面ＦＢに光線ＢＬを張る投光部材を支持するために一つのガイドフレーム（以下、後フレーム２と記す。）を備える。
【００２０】
前後フレーム１ａ，１ｂ，２は、各フレーム１ａ，１ｂ，２の表面又は裏面に対し一律（０度など）の角度で投じられる様に投光部材を支持し、前限投光部又は後限投光部を構成する。当該例においては、前後フレーム１ａ，１ｂ，２は、更に、前記投光部材から発した光線の反射光を検出する受光部材を支持し、前限受光部又は後限受光部を構成する。
【００２１】
尚、投光部材は、上記目的の為に各フレーム１ａ,１ｂ,２に固定する必要があるものの、受光部材にあっては、必ずしもフレーム１ａ,１ｂ,２で支持する必要はなく、支柱７や脚部６に適宜設置すればよい。
【００２２】
当該例の投光部と受光部は、一個の受光部材と、単一の指向性を持つ一個の投光部材を一個体に収容した単一又は複数の反射型光電スイッチ（以下、光電スイッチ４と記す。）と前後フレーム１ａ，１ｂ，２とで各々構成する。
当該例において、各フレーム１ａ，１ｂ，２に支持される投光部材としての全ての光電スイッチ４は、その投光部から発せられる光線が各フレーム１ａ，１ｂ，２の表面と平行な仮想の平面に沿って光線を張る様に支持する。
【００２３】
加えて、前フレーム１に支持する投光部材としての光電スイッチ４は、スイングの適否の指標となり得るユーザの身体の一部の軌道、又はユーザが使用するクラブの一部の軌道として許容する前方の限界面に沿って複数の前限光線ＦＬが、アドレス時からバックスイングの始動過程に至るスイング始動領域、トップ領域、ダウンスイング始動領域、インパクト領域、及びフォロースルー領域等、スイングの要所の一又は複数の領域を選択して効率良く張られる様に固定する。
【００２４】
一方、後フレーム２に支持する発光部材としての光電スイッチ４は、ユーザの身体の一部の軌道、又はユーザが使用するクラブの一部の軌道として許容する後方の限界面に沿って複数の後限光線ＢＬが、上記と同様に効率良く張られる様に固定する。
【００２５】
例えば、前フレーム１又は後フレーム２の表面に、所定の間隔で複数の光電スイッチ４を、光線が平行となる様に、又は扇状に広がる様に固定する。各光電スイッチ４が発する光線は、レンズ等で複数に分光し（図２参照）、各光電スイッチ４についてその分光方向を一致させる等で、各光電スイッチ４が発する光線で一の平面を形成する様に配設することによって、前方の限界面により多くの光線を高密度で張ることができる。
尚、各光電スイッチ４について分光された各光線が、隣接する光電スイッチ４について分光された各光線が、スイング軌道及びユーザの身体の旋回軌道の範囲内で相互に交差しないことが望ましい。
【００２６】
当該例では、前フレーム１の一つ（以下、第一フレーム１ａと記す。）は、その表面及び裏面に、前限光線ＦＬが平行となる様に、二つの光電スイッチ４を固定し、他の前フレーム（以下、第二フレーム１ｂと記す。）１及び後フレーム（以下、第三フレーム２と記す。）２は、その表面に、前限光線ＦＬが扇状に広がる様に固定する。
【００２７】
評価手段５は、例えば、光電スイッチ４毎に、投光部材の投光タイミング、及び検出部材の検出タイミングを作るタイマ８（シーケンサ等）と、各光電スイッチ４の検出部材が当該光電スイッチ４の検出タイミングで目的の反射光を検出した回数を数えるカウンタ９と、光電スイッチ４毎に検出した順序及び回数を記憶するメモリ１０と、光電スイッチ４毎に検出した順序及び回数を表示する表示部１１と、各光電スイッチ４の検出部材が当該光電スイッチ４の検出タイミングで目的の反射光を検出する度に警報を発するスピーカ１２と、各種インターフェース及びドライバを適宜備える（図１２参照）。
【００２８】
ここで投光タイミングとは、光を投じるタイミングのみならず、投じた光の中に所定の固有信号（固有波形又は固有周波数等）を混入するタイミングを含む。
当該例では、投光タイミング及びその検出タイミングは、各光電スイッチ４固有のタイミングに設定し、相互のタイミングが一致することの無い様にする。検出履歴は、反射光を検出したタイミング毎にメモリ１０に蓄積し、反射光を検出する度にインクリメントするカウントの累積値は、反射光を検出する毎に発生する検出履歴と共にメモリ１０に保存する。
【００２９】
当該例の表示部１１においては、メモリ１０に蓄積された検出履歴及びカウントは、検出回数及び検出順として表示部１１にＬＥＤ等の警告燈を用いて表現する（図１１参照）。
例えば、第一フレーム１ａ、第二フレーム１ｂ、及び第三フレーム２に固定された光電スイッチ４が各々のタイミングで反射光を検出する毎に、前記累積値を、検出順として各フレーム毎に分けて数字で表示し、各光電スイッチ４の検出回数を、表示された数字の個数として表示する。かかる表示により、スイング軌道がずれる経過の概要を、スイング終了後、次のスイング開始に至るまでの短時間で、十分に認識・復習することができる。
【００３０】
当該例の警告音は、前記第一フレーム１ａ乃至第三フレーム２の各フレームで異なっている。例えば、フレーム毎に、異なる、音程、音色、音量、音の数や長さの出力をドライバ１３に備え、反射光を検出したフレームに応じて固有の出力を選択的にスピーカに供給する手段を備える。その結果、発せられた警告音を聞くだけで、自己のスイング過程に照らしてスイングブレの概略を、目線を動かすことなく認識することができる。
【００３１】
上記構成に加え、光から成る直線をターゲットラインＴＬとして表示するラインレーザ１４を支柱７に固定し、第一フレーム１ａ乃至第三フレーム２に固定されている投光部材としての光電スイッチ４が発する光線の水平成分と向きが等しくなる様に位置決めすれば、必要に応じてアドレスの向きを調整するのに便宜となる。
【００３２】
更に、第一フレーム１ａ、第二フレーム１ｂ、及び第三フレーム２に各々ラインレーザ（図示省略）を設置し、各フレーム１ａ，１ｂ，２に固定された光電スイッチ４から投じられた光線が形作る平面上に、ガイドラインたる光線が表示される様に指向性を調整すれば、各フレーム１ａ，１ｂ，２の向き及び傾斜をユーザの理想プレーンに合わせる際に便宜となる。
【００３３】
本発明によるゴルフスイング評価装置は、以上の如く構成され、ユーザの手部、又は手部及び頚部、並びにユーザが使用するクラブの離隔した最低二箇所の部位（当該例では、グリップとシャフトの境界部、ヘッドとシャフトの境界部、及びクラブヘッドの中央部。）に反射部材を固定して使用する（当該例では、反射テープ等を巻き付けて固定する。図３参照）。
【００３４】
その際、前記第一フレーム１ａは、スイング始動領域及びインパクト領域におけるグリップ軌道の前方の限界面に設定する。具体的には、アドレス時におけるグリップから、ユーザの技量に応じて前方約２０ｍｍから約１００ｍｍの位置に、ターゲットラインと平行に、上下数本の光線が配される様に第一フレーム１ａの支持状態を調整する。
【００３５】
前記第二フレーム１ｂは、ユーザの理想スイングプレーンを前方の限界面として設定する。
使用の際には、当該第二フレーム１ｂの支持状態（傾斜等）を、第二フレーム１ｂに固定された光電スイッチ４の投光部材から発せられる光線からなる扇形が形作る面と、当該理想スイングプレーンとが一致する様に調整する。
【００３６】
前記第三フレーム２は、ユーザの理想シャフトプレーンを前記後方の限界面として設定する。
使用の際には、第三フレーム２の支持状態（傾斜等）を、第三フレーム２に固定された光電スイッチ４の投光部材から発せられる光線からなる扇形が形作る面と、当該理想シャフトプレーンとが一致する様に調整する。
【００３７】
以上の状態で使用することによって、当該ゴルフスイング評価装置は、ユーザが装着した反射部材の表面全体に設けられた反射面３に当たって反射した光線を、検出タイミングが一致する受光部で検出し、反射された光線を発した投光部を特定することを以ってスイングのブレが生じた位置を特定し、ユーザのスイングに対する評価を音声及び表示で提供することができる。
【００３８】
上記ゴルフスイング評価装置を構成する各光電スイッチ４は、アドレス時からバックスイングの始動過程に至るスイング始動領域（図７参照）、トップ領域（図８を参照）、ダウンスイング始動領域（図６参照）、インパクト領域（図９参照）、及びフォロースルー領域（図１０参照）等、スイングの要所の一又は複数の領域を各々単数または複数の光電スイッチ４を以って担当する様に配設すると共に、その様に配設した各領域担当の光電スイッチ４の一部又は全部を、各々選択的に起動させる選択スイッチを備えることができる。
【００３９】
その様な構成を採ることによって、スライスボールの矯正やフックボールの矯正等、個別の症状の検証に重要な領域を担当する光電スイッチ４のみを選択的に稼動し、ノイズを排除した効率の良い練習を行なうことができる。
【符号の説明】
【００４０】
１  前フレーム，２  後フレーム，３  反射面，４  光電スイッチ，
５  評価手段，６  脚部，７  支柱，８  タイマ，９  カウンタ，１０  メモリ，
１１  表示部，１２  スピーカ，１３  ドライバ，１４  ラインレーザ，
【図１】
2011103925.tif 000003
【図２】
2011103925.tif 000004
【図３】
2011103925.tif 000005
【図４】
2011103925.tif 000006
【図５】
2011103925.tif 000007
【図６】
2011103925.tif 000008
【図７】
2011103925.tif 000009
【図８】
2011103925.tif 000010
【図９】
2011103925.tif 000011
【図１０】
2011103925.tif 000012
【図１１】
2011103925.tif 000013
【図１２】
2011103925.tif 000014